(57)【要約】【課題】  スイッチとスイッチ周辺部品の増加を抑え、使用者が操作したいスイッチを瞬時に探すことが容易な、多機能でスイッチの数が少ない操作部を備えた温水洗浄便座を提供すること。【解決手段】  水の噴射を操作する操作部と、前記操作部の操作によって給水源から供給される水を通水または遮断する給水バルブと、前記給水バルブにより通水された水を人体局部に噴射する洗浄ノズルユニットと、前記給水バルブとノズルユニットの間に設けられ前記操作部の操作によって前記洗浄ノズルユニットへの通水量を制御する通水量調整弁と、を備え、前記操作部は、前記洗浄ノズルユニットへの通水の開始と通水量調整とを兼ね備えた洗浄スイッチを具備する温水洗浄便座装置。【選択図】  図２
2013155521.tif 000002
【特許請求の範囲】
【請求項１】
水の噴射を操作する操作部と、
前記操作部の操作によって給水源から供給される水を通水または遮断する給水バルブと、
前記給水バルブにより通水された水を人体局部に噴射する洗浄ノズルユニットと、
前記給水バルブと前記洗浄ノズルユニットの間に設けられ前記操作部の操作によって前記洗浄ノズルユニットへの通水量を制御する通水量調整弁と、を備え、
前記操作部は、前記洗浄ノズルユニットへの通水の開始と通水量調整とを兼ね備えた洗浄スイッチを具備する温水洗浄便座装置。
【請求項２】
請求項１に記載の温水洗浄便座装置であって、
前記洗浄スイッチが押下されることで前記給水バルブを開放し洗浄強さが最弱と最強の間で繰返される様に前記通水量調整弁の開度を制御し前記洗浄スイッチの押下が解除されることで解除時の強さに洗浄強さが維持される様に前記通水量調整弁の開度を制御する制御装置を更に具備する温水洗浄便座装置。
【請求項３】
請求項１に記載の温水洗浄便座装置であって、
前記洗浄スイッチが押下されることで前記給水バルブを開放し洗浄強さが最弱と最強の間で繰返される様に前記通水量調整弁の開度を制御し前記洗浄スイッチが再度押下されることで再度押下時の強さに洗浄強さが維持される様に前記通水量調整弁の開度を制御する制御装置を更に具備する温水洗浄便座装置。
【発明の詳細な説明】
【技術分野】
【０００１】
本発明は、スイッチおよびその周辺部品を低減した操作部を有する温水洗浄便座に関する。
【背景技術】
【０００２】
従来技術の温水洗浄便座として、操作部におしり洗浄ノズルまたはビデ洗浄ノズルへの通水の開始と停止を指示する洗浄スイッチと通水量調整を指示する通水量調整スイッチ（洗浄強さダイヤル）を有するものがある（例えば、特許文献１参照。）。
【０００３】
また、操作部に洗浄スイッチと通水量調整スイッチ（洗浄強さ物理量操作部）を有するものがある（例えば、特許文献２参照。）。
【先行技術文献】
【特許文献】
【０００４】
【特許文献１】特開２００４−１７６４１８号公報
【特許文献２】特開２００６−３２２３１７号公報
【発明の概要】
【発明が解決しようとする課題】
【０００５】
しかしながら、特許文献１の操作部では、洗浄スイッチと通水量調節スイッチが別体であるため、スイッチ数が増加する。これにより、スイッチおよびスイッチから制御部までの間の可変抵抗、アナログ・デジタルコンバーター、配線、パターン回路と云ったスイッチ周辺部品点数の増加とコストの増加と占有体積の増加、と云う問題が発生する。更に、スイッチ数の増加によって、使用者が操作したいスイッチを瞬時に探すことが難しくなる問題がある。
【０００６】
また、特許文献２の操作部では、洗浄スイッチと通水量調節スイッチと表示手段が別体であるため、スイッチ数が多くなる。これにより、スイッチおよびボリューム型可変抵抗、配線、回路パターン、コネクター、アナログ・デジタルコンバーターと云ったスイッチ周辺部品点数の増加とコストの増加と占有体積の増加、と云う問題が発生する。更に、スイッチ数の増加によって、使用者が操作したいスイッチを瞬時に探すことが難しくなる問題がある。
【０００７】
本発明は上記問題点に鑑みて成されたものであり、スイッチ数とスイッチ周辺部品点数の増加を抑え、使用者が操作したいスイッチを瞬時に探すことが容易な、温水洗浄便座を提供することを目的とする。
【課題を解決するための手段】
【０００８】
本発明の第１の課題解決手段は、水の噴射を操作する操作部と、前記操作部の操作によって給水源から供給される水を通水または遮断する給水バルブと、前記給水バルブにより通水された水を人体局部に噴射する洗浄ノズルユニットと、前記給水バルブとノズルユニットの間に設けられ前記操作部の操作によって前記洗浄ノズルユニットへの通水量を制御する通水量調整弁と、を備え、前記操作部は、前記洗浄ノズルユニットへの通水の開始と通水量調整とを兼ね備えた洗浄スイッチを具備する、構成である。
【０００９】
また、本発明の第２の課題解決手段は、前記洗浄スイッチが押下されることで前記給水バルブを開放し洗浄強さが最弱と最強の間で繰返される様に前記通水量調整弁の開度を制御し前記洗浄スイッチの押下が解除されることで解除時の強さに洗浄強さが維持される様に前記通水量調整弁の開度を制御する制御装置を更に具備する、構成である。
【００１０】
また、本発明の第３の課題解決手段は、前記洗浄スイッチが押下されることで前記給水バルブを開放し洗浄強さが最弱と最強の間で繰返される様に前記通水量調整弁の開度を制御し前記洗浄スイッチが再度押下されることで再度押下時の強さに洗浄強さが維持される様に前記通水量調整弁の開度を制御する制御装置を更に具備する、構成である。
【発明の効果】
【００１１】
第１の課題解決手段によれば、本発明の温水洗浄便座は、洗浄ノズルユニットへの通水の開始と停止と通水量調整とを兼ね備えた洗浄スイッチを具備することで、通水量調整スイッチと通水量調整スイッチ周辺部品の増加を抑え、使用者が操作したいスイッチを瞬時に探すことが容易な温水洗浄便座を提供することが出来る。
【００１２】
第２の課題解決手段によれば、本発明の温水洗浄便座は、洗浄ノズルユニットへの通水の開始と停止と通水量調整とを兼ね備えた洗浄スイッチを具備することで、通水量調整スイッチと通水量調整スイッチ周辺部品の増加を抑え、使用者が操作したいスイッチを瞬時に探すことが容易な温水洗浄便座を提供することが出来る。更に、使用者は、洗浄ノズルユニットからの水の噴射量の変化を体感しながら、タイムリーに好みの水の噴射量を選択することが可能になる。
【００１３】
第３の課題解決手段によれば、本発明の温水洗浄便座は、洗浄ノズルユニットへの通水の開始と停止と通水量調整とを兼ね備えた洗浄スイッチを具備することで、通水量調整スイッチと通水量調整スイッチ周辺部品の増加を抑え、使用者が操作したいスイッチを瞬時に探すことが容易な温水洗浄便座を提供することが出来る。更に、使用者は、洗浄ノズルユニットからの水の噴射量の変化を体感しながら、タイムリーに好みの水の噴射量を選択することが可能になる。
【図面の簡単な説明】
【００１４】
【図１】本発明の人体局部洗浄装置の内部の斜視図
【図２】本発明の操作部の平面図
【図３】（ａ）実施例１に於ける本発明の全体概要を示すフローチャート（ｂ）実施例２に於ける本発明の全体概要を示すフローチャート
【図４】本発明の初期設定を行なうスタートステップＳ０のフローチャート
【図５】本発明の実施例１を行なう第１ステップＳ１のフローチャート
【図６】本発明の実施例２を行なう第２ステップＳ２のフローチャート
【図７】（ａ）実施例１に於ける本発明の洗浄終了設定ステップを行なうリターンステップＳ３のフローチャート（ｂ）実施例２に於ける本発明の洗浄終了設定ステップを行なうリターンステップＳ３のフローチャート
【図８】実施例１に於ける本発明の動作例を示すタイミングチャート
【図９】実施例２に於ける本発明の動作例を示すタイミングチャート
【発明を実施するための形態】
【００１５】
以下に本発明の実施の形態を図面に基づいて詳細に説明する。
【００１６】
（実施例１）
図１は、本発明の温水洗浄便座１の内部の斜視図である。温水洗浄便座１は、便器２の上に設置されると共に水道３（給水源）に接続され、給水バルブ４と、温水タンク５と、通水量調整弁６と、便座７と、着座センサー８と、制御基板９（制御ユニット）と、電動洗浄ノズルユニット１０と、操作部２０と、を備えている。給水バルブ４は、着座センサー８が便座７に使用者や施工者（以下、使用者と呼ぶ）が座っていると検知して且つおしり洗浄スイッチ２１（洗浄スイッチ）またはビデ洗浄スイッチ２２（洗浄スイッチ）が押下された時に、水道から水道圧にて温水タンク５への水の通水開始を、止スイッチが押下された時に、通水停止を行なう。温水タンク５は、給水バルブ４から供給された水を４０℃程度の温水に加熱し、温水の温度を維持しつつ溜めている。通水量調整弁６は、温水タンク５と電動洗浄ノズルユニット１０の間に設置され、給水バルブ４と温水タンク５とを通過し電動洗浄ノズルユニット１０へ供給される温水の通水量を調整する。電動洗浄ノズルユニット１０は、おしり洗浄ノズル１１とビデ洗浄ノズル１２と、おしり洗浄ノズル１１を原点と洗浄位置に進退させるモータ（図示せず）と、ビデ洗浄ノズル１２を原点と洗浄位置に進退させるモータ（図示せず）と、を具備している。電動洗浄ノズルユニット１０は、おしり洗浄スイッチ２１が押下された時にはおしり洗浄ノズル１１が洗浄位置に前進しておしり洗浄ノズル１１から、ビデ洗浄スイッチ２２が押下された時にはビデ洗浄ノズル１２が洗浄位置に前進してビデ洗浄ノズル１２から、人体局部へ温水を噴射する。操作部２０は、水の通水開始と停止と通水量調整と、温水の温度調整の設定を行なう。
【００１７】
なお、おしり洗浄ノズル１１とビデ洗浄ノズル１２は、使用者や製造者の要望によって、１本に統合することも可能である。着座センサー８は、ユニットバスや熱帯地域と云った水で濡れても構わない状況にある場所に温水洗浄便座１を設置する場合には、不要になる。操作部２０は、リモコンに変更することも可能である。
【００１８】
図２は、本発明の操作部２０の平面図である。操作部２０は、おしり洗浄スイッチ２１とビデ洗浄スイッチ２２と温水の温度調整スイッチ２３と止スイッチ２４と、を具備している。おしり洗浄スイッチ２１とビデ洗浄スイッチ２２と温水の温度調整スイッチ２３とは、使用者が押下した時には接点が閉じて通電し、押下していない時には接点が開いて通電を遮断する接点型スイッチ２５である。おしり洗浄スイッチ２１とビデ洗浄スイッチ２２と温水の温度調整スイッチ２３とは、上側を表示シート２６で防水的に覆われている。
【００１９】
なお、接点型スイッチ２５は、ボリューム型可変抵抗と云った他のスイッチで代用することも可能である。温水タンク５は、熱帯地域の様に洗浄水を温水に加熱する必要が無い状況にある場所に温水洗浄便座１を設置する場合には、不要になる。
【００２０】
図３（ａ）は、本発明の全体概要を示すフローチャートＳである。おしり洗浄またはビデ洗浄を行なう際の洗浄制御Ｓは、温水洗浄便座１の電源が入っていることを検知するスタートステップＳ０と、実施例１を行なう第１ステップＳ１と、実施例２を行なう第２ステップＳ２と、洗浄終了設定を行なうリターンステップＳ３と、を有している。
【００２１】
図４は、本発明の初期設定を行なうスタートステップＳ０のフローチャートである。スタートステップＳ０は、温水洗浄便座１の電源が入っていることを検知するＳ０ａと、おりノズルを原位置に設定する原点出し動作ステップＳ０ｂと、洗浄動作を禁止にする洗浄動作禁止ステップＳ０ｃと、使用者が便座７に座っていることを検知するＳ０ｄとを有している。
【００２２】
図５は、本発明の実施例１を行なう第１ステップＳ１のフローチャートである。第１ステップＳ１は、ステップＳ１ａと、ステップＳ１ｂと、ステップＳ１ｃと、ステップＳ１ｉと、ステップＳ１ｄと、ステップＳ１ｅと、ステップＳ１ｆと、ステップＳ１ｇと、ステップＳ１ｈと、を有している。
【００２３】
ステップＳ１ａは、使用者がおしり洗浄スイッチ２１を押下し続けた時または押下を１回した時に次のステップＳ１ｂへ移行させ、使用者がおしり洗浄スイッチ２１を押下するまではここで待機するステップである。ステップＳ１ｂは、ステップＳ１ａで使用者がおしり洗浄スイッチ２１を押下したことを受けて、洗浄ノズルを伸長させるステップである。ステップＳ１ｃは、温水洗浄便座１の給水バルブ４を開くステップである。Ｓ１ｉは、「おしりが押下し続けられているか」を判断し、ＹＥＳの場合はＳ１ｄへ、ＮＯの場合はＳ１ｈへ移行する。ステップＳ１ｄは、ステップＳ１ａで使用者がおしり洗浄スイッチ２１を押下し続けたことを受けて、おしり洗浄の洗浄強さが最弱と最強の間で繰返される状態となる様に通水量調整弁６を往復回転させるステップである。ステップＳ１ｅは、使用者が止スイッチ２３を押下した時におしり洗浄を終了させる洗浄終了ステップＳ３へ移行させ、使用者が止スイッチ２３を押下しなかった時に次のステップＳ１ｆへ移行させるステップである。ステップＳ１ｆは、使用者がおしり洗浄スイッチ２１から手を離した時に他方のステップＳ１ｈへ移行させ、使用者がおしり洗浄スイッチ２１から手を離さなかった時に元のステップＳ１ｄへ移行させるステップである。ステップＳ１ｇは、使用者が止スイッチ２３を押下した時におしり洗浄を終了させる洗浄終了ステップＳ３へ移行させ、使用者が止スイッチ２３を押下しなかった時にはステップＳ１ｆへ戻す、ステップである。ステップＳ１ｈは、おしり洗浄の強さを使用者がおしり洗浄スイッチ２１を離した時点の強さに固定させるステップである。
【００２４】
図７（ａ）は、本発明の洗浄終了設定ステップを行なうリターンステップＳ３のフローチャートである。リターンステップＳ３は、ステップＳ３ａと、ステップＳ３ｂと、を有している。
【００２５】
ステップＳ３ａは、ステップＳ１またはステップＳ２の中の止スイッチ２３押下ステップＳ１ｄ、Ｓ１ｇ、Ｓ２ｄ、Ｓ２ｈまたはＳ２ｊで使用者が止スイッチ２３を押下したことを受けて、給水バルブ４を閉止して且つ通水量調整弁６を閉方向へ回転して最弱位置に戻し、次のステップＳ３ｂへ移行させるステップである。ステップＳ３ｂは、初期設定ステップＳＯへ戻すステップである。これにより、おしり洗浄は終了する。
【００２６】
以下に、実施例１の動作について、説明する。
【００２７】
図８は、本発明の動作例を示すタイミングチャートである。本発明の温水洗浄便座１では、電源をＯＮにする（ｔ０時点）と初期設定を行なう。図３の様に、初期設定の中の初期化と洗浄停止が終了すると使用者の着座を待ち受ける状態となる。
【００２８】
この状態で、使用者がおしり洗浄スイッチ２１を押下する（ｔ１時点）と、おしり洗浄が開始される。おしり洗浄が開始されると、おしり洗浄ノズル１１が人体局部に温水を噴射する所定位置まで伸長し、給水バルブ４が全閉状態から全開状態（ｔ２時点）になる。同時に、通水量調整弁６は、図８のｔ２とｔ４の間の実線とｔ３とｔ４の間の破線の様に開口量を最強と最弱の間で変更しながら最弱と最強の間で繰返される状態を繰返す様に、往復回転する。この動作は、おしり洗浄スイッチ２１、ビデ洗浄スイッチ２２または止スイッチ２３が押下されるまで、またはタイマー時間（２分程度）が経過するまで、続けられる。この状態で、使用者がおしり洗浄スイッチ２１から手を離す（ｔ３時点）と、通水量調整弁６は、ｔ２とｔ３の間の実線の様にｔ２時点の開口量で固定され定常状態になる。
【００２９】
使用者が止スイッチ２３を押下する（ｔ４時点）と、給水バルブ４は、全開状態から全閉状態になる。同時に、通水量調整弁６は、開口量が最弱状態になる様に、回転される。これにより、おしり洗浄は停止し、温水洗浄便座１はおしり洗浄スイッチ２１またはビデ洗浄スイッチ２２が押下される（ｔ１時点）のを待つ状態になる。使用者が止スイッチ２３を押下することは、ｔ０からｔ４の間のどこの時点でも実施可能である。使用者がｔ０からｔ４の間のどこの時点で止スイッチ２３を押下しても、おしり洗浄は停止し、温水洗浄便座１はおしり洗浄スイッチ２１またはビデ洗浄スイッチ２２が押下され続ける（ｔ１時点）ことを待つ状態になる。
【００３０】
おしり洗浄ノズル１１からの温水噴射量は、通水量調整弁６の開口量に合わせて変動する。
【００３１】
以下に、実施例１の効果について、説明する。
【００３２】
本発明の温水洗浄便座１は、おしり洗浄ノズル１１またはビデ洗浄ノズル１２への通水の開始と停止と通水量調整を行なうおしり洗浄スイッチ２１とビデ洗浄スイッチ２２を具備することで、流量調整スイッチとスイッチ周辺部品（ボリューム型可変抵抗、配線、回路パターン、コネクター、アナログ・デジタルコンバーター等）の増加を抑え、使用者が操作したいスイッチを瞬時に探すことが容易な温水洗浄便座１を提供することが出来る。更に、使用者は、おしり洗浄ノズル１１またはビデ洗浄ノズル１２からの温水噴射量の変化を体感しながら、タイムリーに好みの温水噴射量を選択することが可能になる。これは、痔症を患う使用者や産後の女性にとって痛みを感じる前に好みの温水噴射量を選択することが可能になる為、役立つ効果である。
【００３３】
また、本発明の操作スイッチは、おしり洗浄スイッチ２１またはビデ洗浄スイッチ２２でおしり洗浄ノズル１１またはビデ洗浄ノズル１２への通水の開始と停止と通水量調整を行なう制御方法にすることで、流量調整スイッチとスイッチ周辺部品（ボリューム型可変抵抗、配線、回路パターン、コネクター、アナログ・デジタルコンバーター等）の増加を抑え、使用者が操作したいスイッチを瞬時に探すことが容易な温水洗浄便座１を提供することが出来る。更に、使用者は、おしり洗浄ノズル１１またはビデ洗浄ノズル１２からの温水噴射量の変化を体感しながら、タイムリーに好みの温水噴射量を選択することが可能になる。これは、痔症を患う使用者や産後の女性にとって痛みを感じる前に好みの温水噴射量を選択することが可能になる為、役立つ効果である。
【００３４】
（実施例２）
図１〜図５は、実施例１に準じる。但し、図３と図７では、実施例２は（ｂ）を選択し、実施例１の（ａ）に準じる。
【００３５】
図６は、本発明の実施例２を行なう第２ステップＳ２のフローチャートである。第２ステップＳ２は、ステップＳ２ａと、ステップＳ２ｂと、ステップＳ２ｃと、ステップＳ２ｄと、ステップＳ２ｅと、ステップＳ２ｆと、ステップＳ２ｇと、ステップＳ２ｈと、ステップＳ２ｉと、ステップＳ２ｊと、を有している。
【００３６】
ステップＳ２ａは、使用者がおしり洗浄スイッチ２１を押下した時に次のステップＳ２ｂへ移行させ、使用者がおしり洗浄スイッチ２１を押下するまではここで待機するステップである。ステップＳ２ｂは、ステップＳ２で使用者がおしり洗浄スイッチ２１を押下したことを受けて、洗浄ノズルを伸長させるステップである。ステップＳ２ｃは温水洗浄便座１の給水バルブ４を開くステップである。ステップＳ２ｄは、ステップＳ２ａで使用者がおしり洗浄スイッチ２１を押下したことを受けて、おしり洗浄の洗浄強さが最弱と最強の間で繰返される状態となる様に通水量調整弁６を往復回転させるステップである。ステップＳ２ｅは、使用者が止スイッチ２３を押下した時におしり洗浄を終了させる洗浄終了ステップＳ３へ移行させ、使用者が止スイッチ２３を押下しなかった時に次のステップＳ２ｆへ移行させるステップである。ステップＳ２ｆは、使用者がおしり洗浄スイッチ２１を押下した時にステップＳ２ｇへ移行させ、Ｓ２ｇでは流量が固定される。また、Ｓ２ｆは、おしり洗浄スイッチ２１を押下しなかった場合は、おしり洗浄の洗浄強さが最弱と最強の間で繰返される状態となる様に通水量調整弁６を往復回転させるステップＳ２ｄへ戻すステップである。ステップＳ２ｇは、ステップＳ２ｆで使用者がおしり洗浄スイッチ２１を押下したことを受けて、おしり洗浄の強さを使用者がおしり洗浄スイッチ２１を押下した時点の強さに固定させるステップである。ステップＳ２ｈは、使用者が止スイッチ２３を押下した時におしり洗浄を終了させる洗浄終了ステップＳ３へ移行させ、使用者が止スイッチ２３を押下しなかった時に次のステップＳ２ｉへ移行させるステップである。ステップＳ２ｉは、使用者がおしり洗浄スイッチ２１を押下した時にステップＳ２ｊへ移行させ、使用者が止スイッチ２３またはおしり洗浄スイッチ２１を押下するまでは、おしり洗浄の洗浄強さが最弱と最強の間で繰返される状態となる様に通水量調整弁６を往復回転させるステップＳ２ｄへ戻すステップである。ステップＳ２ｊは、使用者が止スイッチ２３を押下した時におしり洗浄を終了させる洗浄終了ステップＳ３へ移行させ、使用者が止スイッチ２３を押下しなかった時にステップＳ２ｇへ戻すステップである。
【００３７】
以下に、実施例２の動作について、説明する。
【００３８】
図９は、本発明の動作例を示すタイミングチャートである。本発明の温水洗浄便座１では、電源をＯＮにする（ｔ０時点）と初期設定を行なう。図３の様に、初期設定の中の初期化と洗浄停止が終了すると使用者の着座を待ち受ける状態となる。
【００３９】
この状態で、使用者がおしり洗浄スイッチ２１を押下する（ｔ１時点）と、おしり洗浄が開始される。おしり洗浄が開始されると、おしり洗浄ノズル１１が人体局部に温水を噴射する所定位置まで伸長し、給水バルブ４が全閉状態から全開状態（ｔ２時点）になる。同時に、通水量調整弁６は、図８のｔ２とｔ４の間の実線とｔ３とｔ４の間の破線の様に開口量を最強と最弱の間で変更しながら最弱と最強の間で繰返される状態を繰返す様に、往復回転する。この動作は、おしり洗浄スイッチ２１、ビデ洗浄スイッチ２２または止スイッチ２３が押下されるまで、またはタイマー時間（３分程度）が経過するまで、続けられる。この状態で、使用者がおしり洗浄スイッチ２１を押下する（ｔ３時点）と、通水量調整弁６は、ｔ２とｔ３の間の実線の様にｔ２時点の開口量で固定され定常状態になる。
【００４０】
使用者が止スイッチ２３を押下する（ｔ４時点）と、給水バルブ４は、全開状態から全閉状態になる。同時に、通水量調整弁６は、開口量が最弱状態になる様に、回転される。これにより、おしり洗浄は停止し、温水洗浄便座１はおしり洗浄スイッチ２１またはビデ洗浄スイッチ２２が押下される（ｔ１時点）のを待つ状態になる。使用者が止スイッチ２３を押下することは、ｔ０からｔ４の間のどこの時点でも実施可能である。使用者がｔ０からｔ４の間のどこの時点で止スイッチ２３を押下しても、おしり洗浄は停止し、温水洗浄便座１はおしり洗浄スイッチ２１またはビデ洗浄スイッチ２２が押下される（ｔ１時点）ことを待つ状態になる。
【００４１】
おしり洗浄ノズル１１からの温水噴射量は、通水量調整弁６の開口量に合わせて変動する。
【００４２】
以下に、実施例２の効果について、説明する。
【００４３】
本発明の温水洗浄便座１は、おしり洗浄ノズル１１またはビデ洗浄ノズル１２への通水の開始と停止と通水量調整を行なうおしり洗浄スイッチ２１とビデ洗浄スイッチ２２を具備することで、流量調整スイッチとスイッチ周辺部品（ボリューム型可変抵抗、配線、回路パターン、コネクター、アナログ・デジタルコンバーター等）の増加を抑え、使用者が操作したいスイッチを瞬時に探すことが容易な温水洗浄便座１を提供することが出来る。更に、使用者は、おしり洗浄ノズル１１またはビデ洗浄ノズル１２からの温水噴射量の変化を体感しながら、タイムリーに好みの温水噴射量を選択することが可能になる。これは、痔症を患う使用者や産後の女性にとって痛みを感じる前に好みの温水噴射量を選択することが可能になる為、役立つ効果である。
【００４４】
また、本発明の操作スイッチは、おしり洗浄スイッチ２１またはビデ洗浄スイッチ２２でおしり洗浄ノズル１１またはビデ洗浄ノズル１２への通水の開始と停止と通水量調整を行なう制御方法にすることで、流量調整スイッチとスイッチ周辺部品（ボリューム型可変抵抗、配線、回路パターン、コネクター、アナログ・デジタルコンバーター等）の増加を抑え、使用者が操作したいスイッチを瞬時に探すことが容易な温水洗浄便座１を提供することが出来る。更に、使用者は、おしり洗浄ノズル１１またはビデ洗浄ノズル１２からの温水噴射量の変化を体感しながら、タイムリーに好みの温水噴射量を選択することが可能になる。これは、痔症を患う使用者や産後の女性にとって痛みを感じる前に好みの温水噴射量を選択することが可能になる為、役立つ効果である。
【００４５】
なお、実施例１と実施例２の図３から図７では、おしり洗浄時のフローチャートで記載しているが、ビデ洗浄時のフローチャートも図３から図７に準じ、おしり洗浄をビデ洗浄に変更する以外は同一の形態である。実施例１と実施例２の図８と図９では、おしり洗浄時のタイミングチャートで記載しているが、ビデ洗浄時のタイミングチャートも図８と図９に準じ、おしり洗浄をビデ洗浄に変更する以外は同一の形態である。
【符号の説明】
【００４６】
１  温水洗浄便座
２  便器
３  水道（給水源）
４  給水バルブ
６  通水量調整弁
７  便座
１０  洗浄ノズルユニット
１１  おしり洗浄ノズル
１２  ビデ洗浄ノズル
２０  操作部
２１  おしり洗浄スイッチ（洗浄スイッチ）
２２  ビデ洗浄スイッチ（洗浄スイッチ）
２４  止スイッチ
【図１】
2013155521.tif 000003
【図２】
2013155521.tif 000004
【図３】
2013155521.tif 000005
【図４】
2013155521.tif 000006
【図５】
2013155521.tif 000007
【図６】
2013155521.tif 000008
【図７】
2013155521.tif 000009
【図８】
2013155521.tif 000010
【図９】
2013155521.tif 000011